(57)【要約】ユーザ端末（１１２）ＵＥを収容することができるセルと、それぞれの基地局と、また基地局を制御するためのＲＮＣとを持つセルラーシステム（１００）のための方法（２００）であって、ＲＮＣの中に隣接セルリストおよびアクティブセットリストを維持するステップと、セルの中に位置しているＵＥに、隣接セルからの送信信号を測定させて、そのＵＥのＲＮＣに報告させるステップ（２２０）とを備える。本方法は、ＵＥに検出済みセルセット測定を行わせ、それをそのＵＥのＲＮＣに報告させるステップ（２３０）を備える。本方法（２００）はまた、ＲＮＣに他のセルについてのパラメータを登録する第３のリストを維持させるステップ（２４０）と、ＲＮＣに、ＵＥから受信した検出済みセルセット測定報告と第３のリストを使用して検出済みセルセットのセルの識別子を判別させるステップ（２５０）と、検出済みセルセット報告の中で識別されたセルを使用して第１のＵＥのアクティブセットを更新するステップとを備える。
2010528558.tif 000002
【特許請求の範囲】
【請求項１】
無線セルラー通信システム（１００）において実行される方法であって、
前記無線セルラー通信システムは、複数のセル（１１０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記無線セルラー通信システムは、さらに、複数の基地局を制御する制御機能（１１６）を備え、
前記方法は、
・第１のセル（１１０）の基地局（１１４）の制御機能（１１６）に、該第１のセルの近傍に存在するセルを登録した第１のリストである隣接セルリストと、該第１のセルの中に位置している第１のユーザ端末（１１２）が通信を行っているセルを登録した第２のリストであるアクティブセットのリストとを維持させるステップ（２１０）と、
・前記第１のセルの中に位置している前記第１のＵＥに、該第１のセルに隣接した隣接セルの基地局からの送信信号を測定させて、該第１のセルの前記基地局を制御している前記制御機能（１１６）へ測定結果を報告させるステップ（２２０）と、
・前記第１のセルの中に位置している前記第１のＵＥに、検出済みセルセットの測定として該第１のセルの隣接セルではない他のセルの基地局からの送信信号を測定させて、該第１のセルの前記基地局を制御している前記制御機能へ測定結果を報告させるステップ（２３０）と
を備え、
さらに、前記方法は、
・前記第１のセルの前記基地局を制御している前記制御機能に、該第１のセルからある距離以内に存在する他のセルについてのパラメータを登録した第３のリストを維持させるステップ（２４０）と、
・前記第１のセルの前記基地局を制御している前記制御機能に、前記第１のユーザ端末から受信した前記検出済みセルセットの測定結果の報告と前記第３のリストを使用して、該検出済みセルセットにおける１つまたは複数のセルの識別子を判別させるステップ（２５０）と、
・前記第１のセルの前記基地局を制御している前記制御機能に、前記検出済みセルセットの測定結果の報告から識別された１つまたは複数のセルを使用して、前記第１のＵＥについてのアクティブセットを更新させるステップ（２６０）と
を備えることを特徴とする方法（２００）。
【請求項２】
前記検出済みセルセットの測定結果の報告に含まれているセルのうち、所定数の検出済みセルセットの測定結果の報告に含まれているセルが前記第１のユーザ端末についての前記アクティブセットに追加されることを特徴とする請求項１に記載の方法（２００、２７０）。
【請求項３】
前記所定数の検出済みセルセットの測定結果の報告が前記第１のセルの前記基地局を制御している前記制御機能によって所定の期間内に受信されると、該検出済みセルセットの前記セルが前記第１のユーザ端末についての前記アクティブセットに追加されることを特徴とする請求項２に記載の方法（２００、２８０）。
【請求項４】
前記第３のリストに登録されているセルの前記パラメータは、
・前記セルの位置
・前記セルのスクランブリング符号
・前記セルに設けられたアンテナの１つまたは複数の指向方向
のうち少なくとも１つ以上を含むことを特徴とする請求項１ないし３のいずれか１項に記載の方法（２９０）。
【請求項５】
前記第１のユーザ端末の位置が、前記検出済みセルセットにおける１つまたは複数のセルの識別子を判別する際に使用されることを特徴とする請求項１ないし４のいずれか１項に記載の方法。
【請求項６】
前記第１のユーザ端末についての前記アクティブセットのリストを使用して、前記第１のユーザ端末の位置を算出し、算出された該位置が前記検出済みセルセットにおける１つまたは複数のセルの識別子を判別する際に使用されることを特徴とする請求項５に記載の方法。
【請求項７】
前記方法はＷＣＤＭＡシステムに適用されることを特徴とする請求項１ないし６のいずれか１項に記載の方法。
【請求項８】
前記第１のセルにおける前記基地局を制御している前記制御機能は、ＷＣＤＭＡシステムにおける無線ネットワーク制御装置（ＲＮＣ）であることを特徴とする請求項１ないし７のいずれか１項に記載の方法。
【請求項９】
無線セルラー通信システム（１００）において使用されるノード（１１６、３００）であって、
前記無線セルラー通信システムは、複数のセル（１１０−１６０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記ノード（１１６、３００）は、制御ノードとして少なくとも第１の基地局に対してサービスを提供するように構成されており、
前記ノード（３００）は、
・前記第１の基地局に係る第１のセルの近傍に存在するセルを登録した第１のリストである隣接セルリストと、該第１のセルの中に位置している第１のユーザ端末が通信を行っているセルを登録した第２のリストであるアクティブセットのリストとを維持する手段（３５０）と、
・前記第１の基地局を通じて、前記第１のユーザ端末から、隣接セルからの検出された送信信号に関する報告を受信する手段（３１０、３２０）と、
・前記第１の基地局を通じて、前記第１のユーザ端末から、前記アクティブセットのリストに登録されているセルについての隣接セルではない他のセルの基地局からの検出された送信信号に関する報告を受信する手段（３１０、３２０）と
を備え、
さらに、前記ノード（３００）は、
・前記第１のセルからある距離以内に存在する他のセルについてのパラメータを登録した第３のリストを維持する手段（３５０）と、
・前記第１のセルに位置している前記第１のユーザ端末から受信した前記検出済みセルセットについての報告と前記第３のリストを使用して、該検出済みセルセットにおける１つまたは複数のセルの識別子を判別する手段（３１０、３４０）と、
・前記検出済みセルセットについての報告から識別された前記１つまたは複数のセルを使用して、前記第１のＵＥについてのアクティブセットのリストを更新する手段（３４０）と
を備えることを特徴とするノード（１１６、３００）。
【請求項１０】
前記検出済みセルセットの測定結果の報告に含まれているセルのうち、所定数の検出済みセルセットの測定結果の報告に含まれているセルが前記第１のユーザ端末についての前記アクティブセットに追加されることを特徴とする請求項９に記載のノード（３００）。
【請求項１１】
前記所定数の検出済みセルセットの測定結果の報告が前記第１のセルの前記基地局を制御している前記制御機能によって所定の期間内に受信されると、該検出済みセルセットの前記セルが前記第１のユーザ端末についての前記アクティブセットに追加されることを特徴とする請求項１０に記載のノード（３００）。
【請求項１２】
前記第３のリストに登録されているセルの前記パラメータは、
・前記セルの位置
・前記セルのスクランブリング符号
・前記セルに設けられたアンテナの１つまたは複数の指向方向
のうち少なくとも１つ以上を含むことを特徴とする請求項１０または１１に記載のノード（３００）。
【請求項１３】
前記ノードは、ＷＣＤＭＡシステムにおける無線ネットワーク制御装置（ＲＮＣ）であることを特徴とする請求項１０ないし１２のいずれか１項に記載のノード。
【発明の詳細な説明】
【技術分野】
【０００１】
本発明は、ＷＣＤＭＡシステムにおいて隣接セルの自動処理を行うための方法とデバイスを開示する。
【背景技術】
【０００２】
無線セルラー電話システムは、それぞれが多くのユーザ端末（ＵＥ）を収容することができる多くのセルを備えるであろう。システムはまた、セルの中でＵＥへのトラフィックおよびＵＥからのトラフィックの経路制御（ルーティング）を行う機能を備えるであろう。この機能は、ＷＣＤＭＡシステムにおいてはノードＢ（ＮｏｄｅＢ）として知られ、また、時には、セルの無線基地局（ＲＢＳ）とも呼ばれる。
【０００３】
ＷＣＤＭＡシステムは、また、複数のＮｏｄｅＢを制御するための機能を備える。この機能は無線ネットワーク制御装置（ＲＮＣ）と呼ばれ、ＲＮＣが制御するＮｏｄｅＢを備えたセルの中に位置しているＵＥに対してもある程度の制御を実行する。従って、ＮｏｄｅＢを備えたそれぞれのセル、および、そのセルの中に位置しているＵＥは、システムの中における特定のＲＮＣに接続され、そのＲＮＣによって制御される。セルのＲＮＣは、当該セルの近傍に存在するセルのリストを維持する。このリストは、通常、隣接セルリストとして知られる。
【０００４】
ＷＣＤＭＡシステムのＵＥは、同時に２つ以上のセル、さらには、そのセルのＮｏｄｅＢと通信することができる。ＵＥがそのときに通信を行っているセルは、そのＵＥのアクティブセット（ＡＳ）として知られる。ＵＥを制御するＲＮＣは、そのＵＥのアクティブセットに属しているセルのリストを維持する。
【発明の概要】
【発明が解決しようとする課題】
【０００５】
ＷＣＤＭＡシステムにおけるセルの中に位置しているＵＥは、他のセルのＮｏｄｅＢからの送信をリッスン（受信試行）している。そして、この送信を、自分のセルのＮｏｄｅＢを介して自分のＲＮＣに報告する。ＵＥの隣接セルリストに登録されているセルのＮｏｄｅＢからの送信信号が検出されて、その後に、ＵＥのＲＮＣに報告された場合には、ＲＮＣはＵＥのＡＳにそのセルを追加することができる。しかし、ＵＥの隣接セルリストの中に含まれていないセルのＮｏｄｅＢからの送信がＵＥによって検出された場合には、これらのセルを識別することはできない。
【０００６】
正しい隣接セルリストを有することは多くの理由からして重要であり、その理由の１つは、隣接セルを見失うことが、システムの中で呼のドロップ（切断）と干渉を引き起こすことである。現在のシステムによれば、典型的なＷＣＤＭＡセルに対する隣接セルリストは、約１５−２０の隣接セルを含むであろうが、それらの全てが、マニュアルによって識別され画定されなければならない。
【０００７】
理解できることであろうが、適正かつ正確な隣接セルリストを画定して維持することは必要ではあるが、ＷＣＤＭＡシステムの事業者にとって、特に、拡大をしているシステム、および、多くの新しいセルが追加されているシステムでは、これは大きな負担になるであろう。
【０００８】
上記の説明から明らかになったように、ＷＣＤＭＡセルに対する隣接セルリストの画定と維持に関わるタスクを、現在のシステムと比較して軽減できる方法が必要である。この方法は、ＵＥにより検出される送信を行うＮｏｄｅＢの識別を可能とするものでなければならなく、これは、ＮｏｄｅＢまたはＮｏｄｅＢのセルが、そのときに検出を行っているＵＥが存在するセルの隣接セルリストの中に含まれていない場合でも可能でなければならない。
【課題を解決するための手段】
【０００９】
本発明はこの必要性を解決するものである。本発明は、多くのセルが存在し、それぞれのセルは多くのユーザ端末（ＵＥ）を収容できる無線セルラー通信システムにおいて使用するための方法を開示する。
【００１０】
それぞれのセルの中のＵＥへのトラフィックおよびＵＥからのトラフィックは、セルの基地局を介してルーティングされる。また、システムの中には、これらの基地局を制御するための機能も存在する。
【００１１】
本発明の方法は、
・第１のセルの基地局の制御機能に、第１のセルの近傍に存在するセルの第１のリスト（隣接セルリスト）および第１のセルの中に位置している第１のＵＥが通信を行っているセルの第２のリスト（アクティブセットと呼ばれる）を維持させるステップと、
・第１のＵＥに、隣接セルの基地局からの送信信号を測定させて、それを第１のセルの基地局の制御機能に報告させるステップと、
・第１のＵＥに、第１のセルの隣接セルでない他のセルの基地局からの送信信号を検出（検出済みセルセット測定と呼ばれる）させて、それを第１のセルの基地局の制御機能に報告をさせるステップとを備える。
【００１２】
本発明の方法はまた、
・第１のセルの基地局の制御機能に、第１のセルからある距離以内に存在する他のセルについてのパラメータを登録した第３のリストを維持させるステップと、
・第１のセルの基地局の制御機能に、第１のＵＥから受信した検出済みセルセット測定の報告と第３のリストを使用して、検出済みセルセットの１つまたは複数のセルの識別子を判別させるステップと、
・第１のセルの基地局の制御機能に、検出済みセルセット報告の中で識別した１つまたは複数のセルを使用して、第１のＵＥのアクティブセットを更新させるステップとを備える。
【００１３】
従って、本発明の方法によって、ＵＥによって検出されたセルは、検出されたセルがＵＥのアクティブセット（ＡＳ）に登録されているいずれかのセルの隣接セルリストの中に登録されていない場合でも、そのＵＥのＡＳに追加することができる。本発明のこの利点およびその他の利点は、以下に示す詳細なる記述から明らかになるであろう。
【００１４】
本発明はまた、無線セルラー通信システム、特にＷＣＤＭＡシステムにおいて使用するための、基地局に対する制御機能を開示する。
【００１５】
本発明は、添付の図面を参照して、以下でより詳細に記述される。
【図面の簡単な説明】
【００１６】
【図１】本発明を使用することができるシステムの一部の概観を示す図である。
【図２】本発明の方法のフローチャートである。
【図３】本発明に従った、システムにおける制御ノードのブロック図である。
【発明を実施するための形態】
【００１７】
図１は、本発明を適用することができる、ＷＣＤＭＡシステム等のシステム１００の一部を図示したものである。システム１００は、セルラーシステムであり、従って多くのセルを備え、それぞれのセルは多くのユーザ端末（ＵＥ）を収容することができる。システム１００に含まれる複数のセルの１つであるセル１１０は図１の中に示され、そのセルの中には１つのＵＥ１１２が示されている。簡単にするために、１つのセルと１つのＵＥだけが図１には示されているが、セル１１０は多くのＵＥを備えることができ、またシステム１００は、セル１１０の近傍に多くの他のセルを配置することができることは明らかであろう。
【００１８】
システム１００の中には、１つの機能１１４がさらに存在し、それを介してセルにおけるＵＥへのトラフィックおよびＵＥからのトラフィックがルーティングされる。これはセルラーシステムの中に存在する機能であるが、異なるシステムまたは異なる標準においては異なる名称を有することがある。本発明は主としてＷＣＤＭＡシステムを意図としており、ＷＣＤＭＡシステムでは、当該機能は通常、ＮｏｄｅＢと呼ばれる。しかしながら、本発明は他のセルラーシステムにも適用することができ、他のセルラーシステムでは、この機能は、無線基地局（ＲＢＳ、Ｒａｄｉｏ  Ｂａｓｅ  Ｓｔａｔｉｏｎ）、基地トランシーバ局（ＢＴＳ、Ｂａｓｅ  Ｔｒａｎｃｅｉｖｅｒ  Ｓｔａｔｉｏｎ）等の異なった名称を有する。従って「ＮｏｄｅＢ」という用語は、本明細書の記述においては、本発明をある特定なシステムまたは特定な標準と結びつけるために使用するのではなく、前記機能に対する一般名称であると理解されるべきである。
【００１９】
システム１００はまた、複数のＮｏｄｅＢを制御するための機能も備え、この機能は、ＷＣＤＭＡシステムにおいては無線ネットワーク制御装置（ＲＮＣ、Ｒａｄｉｏ  Ｎｅｔｗｏｒｋ  Ｃｏｎｔｒｏｌｌｅｒ）として知られる。これは図１では１１６で示されている。ＲＮＣはまた、セルの中に存在するＵＥについての、ある制御機能を実行することもできる。これはセルのＮｏｄｅＢを介して行われる。
【００２０】
本明細書では、ＵＥとそのＵＥを制御しているＲＮＣとの間の通信を参照して本発明を説明することにする。「そのＵＥのＲＮＣ」という用語は、当該ＵＥの制御機能を実行するＲＮＣのことを言う。そして、当該通信は、ＵＥのＮｏｄｅＢを介して行われるであろう。ＵＥ−ＮｏｄｅＢ−ＲＮＣ間のインタフェースは当業者にはよく知られており、本発明では主たる重要性を有するものではない。従って、これらのインタフェースについては、本明細書においては詳細な記述は行わない。その代わり、単に、ＵＥと「そのＵＥのＲＮＣ」との間の通信と表現することとする。
【００２１】
ＷＣＤＭＡシステムでは、コード(符号)を使用して異なるセルの間の識別を行うので、システム１００は、通常、少なくとも特定の地理的区域においては、１つの周波数の上だけで動作するであろう。従って、セル１１０の中に位置しているＵＥ１１２等のＵＥは、システムの中に存在する他のセルのＮｏｄｅＢからの送信信号を「受信試行」（検出）することができるであろう。これらのセルは、通常、セル１１０の近傍に存在するセルであるが、時にはより離れた距離にあるセルも「受信する」ことができるであろう。
【００２２】
以下では、「他のセル」を受信試行しているＵＥ、または、「他のセルと通信を行っている」ＵＥ、または、「他のセルからの送信信号を検出している」ＵＥ等を参照して本発明を説明することにする。これらの表現は、別のセルのＮｏｄｅＢからの送信を受信試行しているＵＥ、または、別のセルのＮｏｄｅＢと通信を行っているＵＥ、または、別のセルのＮｏｄｅＢからの送信を検出しているＵＥなど、の代替の表現として使用される。
【００２３】
ＷＣＤＭＡシステムにおいては、ＵＥを制御するＲＮＣは、ＵＥに対して、他のセルからの送信信号を受信試行して、検出した他のセルからの送信をＲＮＣに報告をすることを要求することができる。システム１００のＲＮＣは、そのＲＮＣが制御するＮｏｄｅＢのそれぞれセルに対して、そのセルの近傍に存在するセルのリスト、すなわち隣接セルリストを有する。隣接セルリストは、隣接セルリストの中に登録されているそれぞれのセルについての多くのパラメータを含み、それらは、例えば、セルのスクランブル符号、および、おそらくは送信電力レベルも含めて、ＲＮＣとＲＮＣが制御するＵＥとの間で通信を行うことができるパラメータを含む。
【００２４】
検出された他のセルからの送信信号またはそれらの内容、すなわち、スクランブル符号、スクランブル符号、パス損失、Ｅｃ／Ｎｏ（干渉レベルインジケータ）、Ｒｓｃｐ（受信信号符号電力）等のパラメータは、ＲＮＣに報告されて、報告しているＵＥの、いわゆる、アクティブセット（ＡＳ）を更新することができる。アクティブセットは、ＵＥが現在通信を行っているセルのセットで、ＲＮＣがリストを維持しているセルのセットである。
【００２５】
しかしながら、ＵＥのアクティブセット（ＡＳ）に含まれているいずれのセルについての隣接セルリストにも登録されてない他のセルからのＮｏｄｅＢによる送信信号を検出したことをＵＥが報告するときには、問題が生ずる。このようなセル／ＮｏｄｅＢがＵＥによって検出されて、ＵＥのＲＮＣに報告された場合には、検出されたセルは、ＵＥのＡＳの中に含めることができない。このようなセル、すなわち、ＵＥのＡＳに含まれているいずれのセルの隣接セルリストにも登録されていないセルを、それでも、例えば、３ＧＰＰにおいて検出済みセルセット（ＤＳ）測定として知られる機能によって、ＵＥは検出することができる。このＤＳ機能は、ＵＥが全てのセルのＮｏｄｅＢからの送信信号を検出しようと試みる機能である。これは、それらのセルがＵＥのＡＳに含まれているセルの隣接セルリストの中に登録されているか否かに拘わらず行われる。ＵＥがこのようなＤＳ送信を検出した場合には、ＵＥは、ＤＳ測定の中で検出した１つまたは複数のスクランブル符号を備える測定報告を、そのＵＥのＲＮＣに送信するであろう。
【００２６】
簡潔に言えば、また、以下でより詳細に説明するように、本発明によって、ＤＳ測定報告を受信するＲＮＣは、その報告の内容を使用してＤＳ測定の間に検出された１つまたは複数のセルを識別することができるであろう。１つまたは複数のセルの識別は、好適な実施形態においては、実時間、または極力実時間で行われる。
【００２７】
ＤＳ測定報告の中のセルは、報告をしているＵＥのＲＮＣによって一旦識別されれば、そのセル識別子を使用して、報告をしているＵＥのＡＳリストを更新することができる。通常は、ＡＳリストを更新するステップは、その新しく識別したセルをＡＳリストの中に追加するステップを備えるであろう。しかしまた、１つ以上の他のセルをＡＳリストから外すステップも備えることができる。
【００２８】
図２は、本発明の方法２００のフローチャートを示す。オプションまたは代替のステップは点線で示されている。
【００２９】
本発明の方法に従えば、ステップ２１０に示すように、システムにおける第１のセルに配置されている基地局を制御する機能、すなわち、この場合にはＲＮＣは、第１のセルの近傍に存在する隣接セルを登録した第１のリスト（これは隣接セルリストである）を維持するであろう。また同時に、第１のセルの中に位置している第１のＵＥが通信しているセルの第２のリスト（アクティブセットリストと呼ばれる）も維持するであろう。ＵＥのアクティブセットが２つ以上のセルを含む場合には、アクティブセットの中に含まれている全てのセルから得られた隣接セルリストは、ＵＥのＲＮＣによって合成されてＵＥに送信される。
【００３０】
ステップ２２０は、第１のＵＥが、隣接セルからの送信信号を測定してそれをそのＵＥのＲＮＣに報告をすることを示している。ステップ２３０に示すように、第１のＵＥは、アクティブセットの中に含まれているいずれのセルの隣接セルでもない他のセルからの送信信号を検出（検出済みセルセット測定と呼ばれる）し、これらの測定の結果をそのＵＥのＲＮＣに報告するであろう。
【００３１】
ステップ２４０は、本発明に従えば、第１のセルのＲＮＣが、第１のセルからある距離以内に存在する他のセルに対するパラメータを登録した第３のリストを維持することを示している。また、ステップ２５０において、第１のセルのＲＮＣは、第１のセルの中に位置している第１のＵＥから受信した検出済みセルセット測定報告と第３のリストの内容とを使用して、検出済みセルセット報告に含まれている１つまたは複数のセルの識別子を判別して決定する。
【００３２】
検出済みセルセット報告の中に含まれている１つまたは複数のセルが識別されると、それらを使用して第１のＵＥのアクティブセットを更新することができる。これはステップ２６０に示されている。更新するステップは、通常、新しく識別した１つまたは複数のセルをＡＳの中に含めるステップを備えるであろう。また、１つ以上のセルをＡＳから消去するステップも備えることができる。
【００３３】
本発明の特定な実施形態においては、検出済みセルセット報告の中に含まれているセルが、第１のＵＥのアクティブセットに追加されるためには、ある所定の数の検出済みセルセット報告の中に含まれていなければならない。換言すれば、このようなセルは、２つ以上のＤＳ報告の中に含まれていなければならない。これはステップ２７０の中に示されている。
【００３４】
別の実施形態においては、検出済みセルセットに含まれているセルが第１のＵＥのＡＳリストの中に含められるためには、ステップ２７０の検出済みセルセット報告の数はある所定の時間間隔の中でＲＮＣによって受信されなければならない。この実施形態によれば、この機能は、異なるＤＳセルおよび／または異なるアクティブセットのセルに対して、別々に動作を開始するまたは動作を終了することもできる。
【００３５】
上記で示したように、本発明に従えば、ステップ２８０においてシステムにおける第１のセルのＲＮＣは、第１のセルからある距離以内に存在する他のセルに対するパラメータの第３のリストを維持しているであろう。このリストは、本発明に従えば、ＤＳ報告の中に含まれているセルを識別するために使用される。
【００３６】
第３のリストの中に含まれているパラメータは、上述した識別を実行するために必要と考えられる、ある程度任意のパラメータを備えることができる。これはステップ２９０に示されている。しかしながら、好適な実施形態においては、第３のリストが以下に示す項目の内の１つ以上を含む。
・リストに登録されているセルの位置、例えば、セルの緯度と経度
・セルのスクランブル符号
・そのセルに設けられたアンテナの１つまたは複数の放射方向（方角）
従って、ＵＥがＤＳ測定を報告する場合、その報告は通常、検出されたセルのスクランブル符号を備えるであろう。また同時に、ダウンリンクパイロットチャネルにおけるＤＬＣＰＩＣＨのＥｃ／Ｎｏ値およびＤＬＣＰＩＣＨのＲｓｃｐ値を備えることも可能であろう。また、パス損失等の値を要求して受信することも可能である。
【００３７】
そして、ＲＮＣは、ＤＳ報告の中に搭載されていたスクランブル符号および他の情報を、第３のリストの内容とともに使用して、ＤＳ報告の中のセルを識別することができる。その識別（図２のフローチャートのステップ２５０）は、以下に示す様式で行うことができ、それが適切である。
【００３８】
第３のリストの中に含まれていたセルの位置を使用して、アクティブセットの１つまたは複数のセルから、報告された１つまたは複数のスクランブル符号を使用して得られた、ＤＳセルの「候補」となるセルまでの距離を算出することができる。「候補」セルのアンテナについて１つまたは複数の指向方向は、やはり第３のリストに備えられる情報であり、これを使用してパス損失の算出を実行することができる。これにより、最も確からしい１つ以上のＤＳセルの識別子を判別することができる。
【００３９】
最も確からしいセルが識別されると、そのセルは、正規に定義された隣接セルとしてＡＳリストに追加することができる。または、報告を行っているＵＥのＡＳの中に既に存在するセルの内の１つをそれで置換することもできる。あるいは、上記で述べた「閾値手順」、すなわち、所定のセル数の検出、または、ある期間内での所定のセル数の検出を要求し、セルをＵＥのＡＳリストに入れることができる。
【００４０】
図３は、ＲＮＣ等の、本発明による制御ノード３００のブロック図を示す。図３に示すように、本発明のＲＮＣ３００は、インタフェース３１０を備える。インタフェース３１０は、これを使用して、ＮｏｄｅＢへのトラフィックおよびＮｏｄｅＢからのトラフィック、また、ＮｏｄｅＢを介して、ＵＥへのトラフィックおよびＵＥからのトラフィックの送信と受信との両方を行う。本発明のＲＮＣ３００は、ＮｏｄｅＢおよび／またはＵＥと接続することができ、ＲＮＣ３００は、例えば、インターネットまたは他の同様なネットワークを介してＮｏｄｅＢおよび／またはＵＥを制御することができる。この場合にはインタフェース３１０は、そのネットワークに対するインタフェースとして動作する。
【００４１】
本発明のＲＮＣは、送信機能３２０、受信機能３３０、および、制御および演算機能を備えるであろう。制御および演算機能は図３に示されているようにマイクロプロセッサ３４０が適切であろう。本発明のＲＮＣはまた、メモリ（記憶）手段３５０を備えるであろう。
【００４２】
メモリ手段３５０は、上記で説明した隣接セルリストおよびアクティブセットリストを維持するよう動作するであろう。これはプロセッサ３４０のアシストによって実行される。
【００４３】
インタフェース３１０および受信機能３３０は、ＵＥによって検出された隣接セルからの送信に関して、ＲＮＣ３００が制御するＮｏｄｅＢからの報告を受信することができる。また、インタフェース３１０および受信機能３３０は、第１のセルの隣接セルでない他のセルからの送信（すなわち、検出済みセルセット測定）に関して、ＮｏｄｅＢからの報告を受信することもできる。
【００４４】
メモリ手段３５０、また潜在的にはプロセッサ３４０は、これを使用して、第１のセルからある距離以内に存在する他のセルに対するパラメータの第３のリストを維持することができる。このリストは、本明細書において以前に説明したリストである。
【００４５】
プロセッサ３４０は、これを使用して、検出済みセルセットの１つまたは複数のセルについて識別子の判別を行うのが適切である。この判別は、上記で説明したように、第１のセルに存在する第１のＵＥからの検出済みセルセット測定報告および第３のリストによって行う。さらに、プロセッサ３４０は、これを使用して、検出済みセルセットに含まれているセルのうちで識別された１つまたは複数のセルによって、第１のＵＥのアクティブセットリストを更新するのが適切である。
【００４６】
最後に、ＵＥによって実行される測定、すなわち、隣接セルおよび検出済みセルセットのセルの測定は、ＵＥによって独立に実行することができる、または、上記で述べたように、測定はＲＮＣから命令を受けて実行できるという点も指摘しておく。後者の場合には、プロセッサ３４０は、測定がいつ行われるべきかを追尾し続けることができる。そして、インタフェース３１０および送信手段３２０は、通常、ＮｏｄｅＢを介して、測定に対する命令をＵＥに送信するのに使用される。
【００４７】
本発明は、上記で記述した、また、図面に示された実施形態の例に限定されるものではなく、添付したクレームの技術的範囲の中で自由に変形することができる。例えば、上記で記述した制御ノードはＲＮＣである必要はなく、上記で記述した機能を実行することができる、ネットワークにおける任意の他のノードであってもよい。さらに、上記で記述した第３のリストのパラメータは、変化させることもでき、上記の例に含まれるパラメータである必要はない。
【００４８】
上記の明細書の随所で述べた第３のリストに関して、第３のリストの中のセルは、システムの事業者が画定することができる。しかしこの場合、セルは、リストが使用されるべきセルからの距離に基づいて、システムによって自動的に選択されることが適切である。また、第３のリストの中のセルは、リストが使用されるべきセルから、ある所定の距離Ｒ以内に存在するセルであることが適切である。
【図１】
2010528558.tif 000003
【図２】
2010528558.tif 000004
【図３】
2010528558.tif 000005
【手続補正書】
【提出日】平成21年9月9日(2009.9.9)
【手続補正１】
【補正対象書類名】明細書
【補正対象項目名】０００７
【補正方法】変更
【補正の内容】
【０００７】
理解できることであろうが、適正かつ正確な隣接セルリストを画定して維持することは必要ではあるが、ＷＣＤＭＡシステムの事業者にとって、特に、拡大をしているシステム、および、多くの新しいセルが追加されているシステムでは、これは大きな負担になるであろう。
国際公開第ＷＯ２００５１０１８９０Ａ１公報や欧州特許第１３７７１０１Ｂ１公報によれば、セルラーシステムにおけるアクティブセルセットリストの更新方法について開示されている。
【手続補正２】
【補正対象書類名】明細書
【補正対象項目名】００１１
【補正方法】変更
【補正の内容】
【００１１】
本発明の方法は、
・第１のセルの基地局の制御機能に、第１のセルの近傍に存在するセルの第１のリスト（隣接セルリスト）および第１のセルの中に位置している第１のＵＥが通信を行っているセルの第２のリスト（アクティブセットと呼ばれる）を維持させるステップと、
・第１のＵＥに、隣接セルの基地局からの送信信号を測定させて、それを第１のセルの基地局の制御機能に報告させるステップと、
・第１のＵＥに、第１のセルの隣接セルでない他のセルの基地局からの送信信号を検出（検出済みセルセット測定と呼ばれる）させて、それを第１のセルの基地局の制御機能に報告をさせるステップと、
・第１のセルの基地局を制御している制御機能に、第１のセルからある距離以内に存在する他のセルについてのパラメータを登録した第３のリストを維持させるステップ（２４０）と、
・第１のセルの基地局を制御している制御機能に、検出済みセルセットの測定結果の報告から識別された前記１つまたは複数のセルを使用して、前記第１のＵＥについてのアクティブセットを更新させるステップ（２６０）とを備え、第３のリストに含まれている他のセルについてのパラメータには、他のセルの位置と他のセルにおけるアンテナの指向方向および該他のセルの方向が含まれている。
【手続補正３】
【補正対象書類名】明細書
【補正対象項目名】００１２
【補正方法】変更
【補正の内容】
【００１２】
本発明の方法はまた、
・第１のセルの基地局の制御機能に、第１のＵＥから受信した検出済みセルセット測定の報告と第３のリストを使用して、検出済みセルセットの１つまたは複数のセルの識別子を判別させるステップとを備え、この識別子を判別させるステップは、第３のリストに含まれている「候補」となるセルについてのアンテナの指向方向または該セルの方向を使用して、検出済みセルセットのセルの識別子を判別するためのパス損失演算を実行することにより、実施される。
【手続補正４】
【補正対象書類名】特許請求の範囲
【補正対象項目名】全文
【補正方法】変更
【補正の内容】
【特許請求の範囲】
【請求項１】
無線セルラー通信システム（１００）において実行される方法であって、
前記無線セルラー通信システムは、複数のセル（１１０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記無線セルラー通信システムは、さらに、複数の基地局を制御する制御機能（１１６）を備え、
前記方法は、
・第１のセル（１１０）の基地局（１１４）の制御機能（１１６）に、該第１のセルの近傍に存在するセルを登録した第１のリストである隣接セルリストと、該第１のセルの中に位置している第１のユーザ端末（１１２）が通信を行っているセルを登録した第２のリストであるアクティブセットのリストとを維持させるステップ（２１０）と、
・前記第１のセルの中に位置している前記第１のＵＥに、該第１のセルに隣接した隣接セルの基地局からの送信信号を測定させて、該第１のセルの前記基地局を制御している前記制御機能（１１６）へ測定結果を報告させるステップ（２２０）と、
・前記第１のセルの中に位置している前記第１のＵＥに、検出済みセルセットの測定として該第１のセルの隣接セルではない他のセルの基地局からの送信信号を測定させて、該第１のセルの前記基地局を制御している前記制御機能へ測定結果を報告させるステップ（２３０）と、
・前記第１のセルの前記基地局を制御している前記制御機能に、該第１のセルからある距離以内に存在する他のセルについてのパラメータを登録した第３のリストを維持させるステップ（２４０）と、
・前記第１のセルの前記基地局を制御している前記制御機能に、前記検出済みセルセットの測定結果の報告から識別された１つまたは複数のセルを使用して、前記第１のＵＥについてのアクティブセットを更新させるステップ（２６０）と
を備え、前記第３のリストに含まれている前記他のセルについての前記パラメータには、該他のセルの位置と該他のセルにおけるアンテナの指向方向および該他のセルの方向が含まれており、
さらに、前記方法は、
・前記第１のセルの前記基地局を制御している前記制御機能に、前記第１のユーザ端末から受信した前記検出済みセルセットの測定結果の報告と前記第３のリストを使用して、該検出済みセルセットにおける１つまたは複数のセルの識別子を判別させるステップ（２５０）と、
を備え、前記識別子を判別させるステップは、前記第３のリストに含まれている「候補」となるセルの位置と該セルに設けられたアンテナの１つまたは複数の指向方向とを使用して、前記検出済みセルセットのセルの識別子を判別するためにパス損失演算を実行することにより、実施されることを特徴とする方法（２００）。
【請求項２】
前記検出済みセルセットの測定結果の報告に含まれているセルのうち、所定数の検出済みセルセットの測定結果の報告に含まれているセルが前記第１のユーザ端末についての前記アクティブセットに追加されることを特徴とする請求項１に記載の方法（２００、２７０）。
【請求項３】
前記所定数の検出済みセルセットの測定結果の報告が前記第１のセルの前記基地局を制御している前記制御機能によって所定の期間内に受信されると、該検出済みセルセットの前記セルが前記第１のユーザ端末についての前記アクティブセットに追加されることを特徴とする請求項２に記載の方法（２００、２８０）。
【請求項４】
前記第１のユーザ端末の位置が、前記検出済みセルセットにおける１つまたは複数のセルの識別子を判別する際に使用されることを特徴とする請求項１ないし３のいずれか１項に記載の方法。
【請求項５】
前記第１のユーザ端末についての前記アクティブセットのリストを使用して、前記第１のユーザ端末の位置を算出し、算出された該位置が前記検出済みセルセットにおける１つまたは複数のセルの識別子を判別する際に使用されることを特徴とする請求項４に記載の方法。
【請求項６】
前記方法はＷＣＤＭＡシステムに適用されることを特徴とする請求項１ないし５のいずれか１項に記載の方法。
【請求項７】
前記第１のセルにおける前記基地局を制御している前記制御機能は、ＷＣＤＭＡシステムにおける無線ネットワーク制御装置（ＲＮＣ）であることを特徴とする請求項１ないし６のいずれか１項に記載の方法。
【請求項８】
無線セルラー通信システム（１００）において使用されるノード（１１６、３００）であって、
前記無線セルラー通信システムは、複数のセル（１１０−１６０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記ノード（１１６、３００）は、制御ノードとして少なくとも第１の基地局に対してサービスを提供するように構成されており、
前記ノード（３００）は、
・前記第１の基地局に係る第１のセルの近傍に存在するセルを登録した第１のリストである隣接セルリストと、該第１のセルの中に位置している第１のユーザ端末が通信を行っているセルを登録した第２のリストであるアクティブセットのリストとを維持する手段（３５０）と、
・前記第１の基地局を通じて、前記第１のユーザ端末から、隣接セルからの検出された送信信号に関する報告を受信する手段（３１０、３２０）と、
・前記第１の基地局を通じて、前記第１のユーザ端末から、前記アクティブセットのリストに登録されているセルについての隣接セルではない他のセルの基地局からの検出された送信信号に関する報告を受信する手段（３１０、３２０）と、
・前記第１のセルからある距離以内に存在する他のセルについてのパラメータを登録した第３のリストを維持する手段（３５０）と、
・前記検出済みセルセットについての報告から識別された１つまたは複数のセルを使用して、前記第１のＵＥについてのアクティブセットのリストを更新する手段（３４０）と
を備え、前記第３のリストに含まれている前記他のセルについての前記パラメータには、該他のセルの位置と該他のセルに設けられたアンテナの１つまたは複数の指向方向が含まれており、
さらに、前記ノード（３００）は、
・前記第１のセルに位置している前記第１のユーザ端末から受信した前記検出済みセルセットについての報告と前記第３のリストを使用して、該検出済みセルセットにおける１つまたは複数のセルの識別子を判別する手段（３１０、３４０）と、
を備え、前記識別子を判別する手段（３１０、３４０）は、前記第３のリストに含まれている「候補」となるセルの位置と該セルに設けられたアンテナの１つまたは複数の指向方向とを使用して、前記検出済みセルセットのセルの識別子を判別するためにパス損失演算を実行することにより、該識別子を判別することを特徴とするノード（１１６、３００）。
【請求項９】
前記検出済みセルセットの測定結果の報告に含まれているセルのうち、所定数の検出済みセルセットの測定結果の報告に含まれているセルが前記第１のユーザ端末についての前記アクティブセットに追加されることを特徴とする請求項８に記載のノード（３００）。
【請求項１０】
前記所定数の検出済みセルセットの測定結果の報告が所定の期間内に受信されると、該検出済みセルセットの前記セルが前記第１のユーザ端末についての前記アクティブセットに追加されることを特徴とする請求項９に記載のノード（３００）。
【請求項１１】
前記ノードは、ＷＣＤＭＡシステムにおける無線ネットワーク制御装置（ＲＮＣ）であることを特徴とする請求項８ないし１０のいずれか１項に記載のノード。
【手続補正書】
【提出日】平成22年4月30日(2010.4.30)
【手続補正１】
【補正対象書類名】特許請求の範囲
【補正対象項目名】請求項１
【補正方法】変更
【補正の内容】
【請求項１】
無線セルラー通信システム（１００）において実行される方法であって、
前記無線セルラー通信システムは、複数のセル（１１０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記無線セルラー通信システムは、さらに、複数の基地局を制御する制御機能（１１６）を備え、
前記方法は、
・第１のセル（１１０）の基地局（１１４）の制御機能（１１６）に、該第１のセルの近傍に存在するセルを登録した第１のリストである隣接セルリストと、該第１のセルの中に位置している第１のユーザ端末（１１２）が通信を行っているセルを登録した第２のリストであるアクティブセットのリストとを維持させるステップ（２１０）と、
・前記第１のセルの中に位置している前記第１のユーザ端末に、該第１のセルに隣接した隣接セルの基地局からの送信信号を測定させて、該第１のセルの前記基地局を制御している前記制御機能（１１６）へ測定結果を報告させるステップ（２２０）と、
・前記第１のセルの中に位置している前記第１のユーザ端末に、検出済みセルセットの測定として該第１のセルの隣接セルではない他のセルの基地局からの送信信号を測定させて、該第１のセルの前記基地局を制御している前記制御機能へ測定結果を報告させるステップ（２３０）と、
・前記第１のセルの前記基地局を制御している前記制御機能に、該第１のセルからある距離以内に存在する他のセルについてのパラメータを登録した第３のリストを維持させるステップ（２４０）と、
・前記第１のセルの前記基地局を制御している前記制御機能に、前記検出済みセルセットの測定結果の報告から識別された１つまたは複数のセルを使用して、前記第１のユーザ端末についてのアクティブセットを更新させるステップ（２６０）と
を備え、前記第３のリストに含まれている前記他のセルについての前記パラメータには、該他のセルの位置と該他のセルにおけるアンテナの指向方向および該他のセルの方向が含まれており、
さらに、前記方法は、
・前記第１のセルの前記基地局を制御している前記制御機能に、前記第１のユーザ端末から受信した前記検出済みセルセットの測定結果の報告と前記第３のリストを使用して、該検出済みセルセットにおける１つまたは複数のセルの識別子を判別させるステップ（２５０）と、
を備え、前記識別子を判別させるステップは、前記第３のリストに含まれている「候補」となるセルの位置と該セルに設けられたアンテナの１つまたは複数の指向方向とを使用して、前記検出済みセルセットのセルの識別子を判別するためにパス損失演算を実行することにより、実施されることを特徴とする方法（２００）。
【手続補正２】
【補正対象書類名】特許請求の範囲
【補正対象項目名】請求項８
【補正方法】変更
【補正の内容】
【請求項８】
無線セルラー通信システム（１００）において使用されるノード（１１６、３００）であって、
前記無線セルラー通信システムは、複数のセル（１１０−１６０）を備え、各セルは複数のユーザ端末（１１２）を収容することができ、前記セルに位置している前記ユーザ端末からのトラフィックと該ユーザ端末へのトラフィックは該セルの基地局（１１４）を経由してルーティングされ、前記ノード（１１６、３００）は、制御ノードとして少なくとも第１の基地局に対してサービスを提供するように構成されており、
前記ノード（３００）は、
・前記第１の基地局に係る第１のセルの近傍に存在するセルを登録した第１のリストである隣接セルリストと、該第１のセルの中に位置している第１のユーザ端末が通信を行っているセルを登録した第２のリストであるアクティブセットのリストとを維持する手段（３５０）と、
・前記第１の基地局を通じて、前記第１のユーザ端末から、隣接セルからの検出された送信信号に関する報告を受信する手段（３１０、３２０）と、
・前記第１の基地局を通じて、前記第１のユーザ端末から、前記アクティブセットのリストに登録されているセルについての隣接セルではない他のセルの基地局からの検出された送信信号に関する報告を受信する手段（３１０、３２０）と、
・前記第１のセルからある距離以内に存在する他のセルについてのパラメータを登録した第３のリストを維持する手段（３５０）と、
・前記検出済みセルセットについての報告から識別された１つまたは複数のセルを使用して、前記第１のユーザ端末についてのアクティブセットのリストを更新する手段（３４０）と
を備え、前記第３のリストに含まれている前記他のセルについての前記パラメータには、該他のセルの位置と該他のセルに設けられたアンテナの１つまたは複数の指向方向が含まれており、
さらに、前記ノード（３００）は、
・前記第１のセルに位置している前記第１のユーザ端末から受信した前記検出済みセルセットについての報告と前記第３のリストを使用して、該検出済みセルセットにおける１つまたは複数のセルの識別子を判別する手段（３１０、３４０）と、
を備え、前記識別子を判別する手段（３１０、３４０）は、前記第３のリストに含まれている「候補」となるセルの位置と該セルに設けられたアンテナの１つまたは複数の指向方向とを使用して、前記検出済みセルセットのセルの識別子を判別するためにパス損失演算を実行することにより、該識別子を判別することを特徴とするノード（１１６、３００）。
【国際調査報告】
2010528558.tif 000006
2010528558.tif 000007
2010528558.tif 000008